(57)【要約】      （修正有）【課題】従来のオリフィス付き自動弁の有する問題点を解消すると共に、加圧水を流入させることなくピストン部の動作を確認できる流量制御弁を提供する。【解決手段】吸引管の途中部に設置される流量制御弁１′を、シリンダ部２Ａとカバー部２Ｂとからなる本体部２と、本体部２内で水の圧力により前進移動可能に設けられたピストン部９と、ピストン部９を後退移動方向に付勢するコイルバネ１３とをもって構成する。シリンダ部２Ａは、一端部が閉塞された円筒状で、閉塞部分２Ａ′の中心部に、流出口３と、該流出口３の内側に連成された該流出口３より小径の開口４を設ける。カバー部２Ｂは、一端部が閉塞された円筒状をなし、閉塞部分２Ｂ′に流入口７を設ける。カバー部２Ｂの閉塞部分２Ｂ′の中心部の外側面に、シリンダ部２Ａ内においてコイルバネ１３の付勢力に抗してピストン部９をその最前進位置まで押し出す点検棒１４を備える。【選択図】図２
2019187996.tif 000002
【特許請求の範囲】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、
前記二次側配管から前記吸気管に流入する空気と水が通過する本体部と、該本体部内で水の圧力により前進移動可能に設けられたピストン部と、該ピストン部を後退移動方向に付勢するコイルバネとによって構成され、前記本体部は、シリンダ部と、該シリンダ部の一端側に装着されるカバー部とからなる負圧湿式予作動スプリンクラー設備における流量制御弁において、
前記カバー部の閉塞部分の中心部の外側面に、前記シリンダ部内において前記コイルバネの付勢力に抗して前記ピストン部をその最前進位置まで押し出す点検棒を備えてなることを特徴とする負圧湿式予作動スプリンクラー設備における流量制御弁。
【請求項２】
ピストン部に設ける大径の開口と小径の開口とを、大径の開口のみとしてなる請求項１記載の負圧湿式予作動スプリンクラー設備における流量制御弁。
【請求項３】
点検棒の先端部に、点検時においてピストン部の閉塞部分に設けた小径の開口内の汚れ除去するための突起を設けてなる請求項１記載の負圧湿式予作動スプリンクラー設備における流量制御弁。
【請求項４】
点検棒の先端面に、点検時において該点検棒がピストン部の閉塞部分に設けた小径の開口部への接触を防止するための凹部又は溝部を設けてなる請求項１記載の負圧湿式予作動スプリンクラー設備における流量制御弁。
【請求項５】
点検棒を操作開始位置に復帰させるバネを設けてなる請求項１、３又は４記載の負圧湿式予作動スプリンクラー設備における流量制御弁。
【請求項６】
点検棒におけるカバー部から突出する後端部に、該点検棒の先端部の突起がピストン部の閉塞部分に設けた小径の開口内に挿入されたことと、ピストン部がシリンダ部内において最前進位置まで移動したこととを確認するための目印を設けてなる請求項１、３、４又は５記載の負圧湿式予作動スプリンクラー設備における流量制御弁。
【請求項７】
カバー部の閉塞部分の中心部の外面側に、点検棒のカバー部から突出する後端部を覆う、該点検棒の誤操作防止用のキャップ状カバーを設けてなる請求項１、３、４、５又は６記載の負圧湿式予作動スプリンクラー設備における流量制御弁。
【請求項８】
カバー部の閉塞部分の中心部の外面側に、点検棒を、その後端側を摺動自在に貫挿した、摘みを有する所要の外径の柱状体と、該柱状体を抜脱自在に嵌め込む柱状体受容孔とをもって構成する保守用分解部を設けてなる請求項１、３、４、５、６又は７記載の負圧湿式予作動スプリンクラー設備における流量制御弁。
【発明の詳細な説明】
【技術分野】
【０００１】
本発明は、二次側配管内に水が充填され且つ火災発生時以外においては負圧状態とする負圧湿式予作動スプリンクラー設備における流量制御弁に関するものである。
【背景技術】
【０００２】
従来における消火設備として、スプリンクラーヘッドの破損等が生じた場合に漏水を防止し、且つ火災発生時に速やかに放水する機能を有する、二次側配管内に水が充填され且つ火災発生時以外においては負圧状態とする負圧湿式予作動スプリンクラー設備がある。
【０００３】
図１２は斯かる負圧湿式予作動スプリンクラー設備の概略構成図である。該図において１００は負圧湿式予作動スプリンクラー設備である。
【０００４】
１０１は消火水槽１０２から送水ポンプ１０３を介して立ち上がって配管された一次側配管である。１０４は前記一次側配管１０１に接続され、スプリンクラーヘッド１０５まで配管された二次側配管である。
【０００５】
１０６は前記一次側配管１０１と二次側配管１０４との間に設置され、火災発生時以外では閉状態が維持される予作動式流水検知装置である。１０７は天井部に設置された、火災を感知して火災信号を送出する火災感知器である。
【０００６】
１０８は前記二次側配管１０４に一端側１０８Ａを接続すると共に、他端側１０８Ｂを、真空ポンプ１０９から立ち上がって配管された吸気管１１０と、下端が前記消火水槽１０２まで垂下した排水管１１１とに接続された吸引管である。
【０００７】
１１２は前記吸引管１０８の途中部に設置された、前記二次側配管１０４内の負圧の状態の正常時には少量の、異常時には多量の流通量とする流量制御弁である。また、該流量制御弁１１２は、オリフィス付き自動弁であり、口径４０Ａの直動式電磁弁のものがある。そしてまた一例として、その定格はＤＣ２４ボルト、１，５８０ｍＡのものがある。
【０００８】
また、図１２において１１３は前記吸引管１０８の途中部における前記流量制御弁１１２より二次側配管１０４側の位置に設置された、二次側配管１０４内の圧力を検出する真空スイッチである。
【０００９】
１１４は火災発生時に前記火災感知器１０７からの火災信号を受信し、後記制御盤に該信号を送信する信号受信盤である。
【００１０】
１１５は前記信号受信盤１１４からの信号を受信し、前記予作動式流水検知装置１０６を開状態として前記一次側配管１０１と二次側配管１０４とを連通状態とすると共に、前記送水ポンプ１０３を作動させる制御盤である。尚、その他図中１１６は前記吸気管１１０の前記吸引管１０８への接続部分に設置した気水分離器、１１７は前記吸引管１０８の前記吸気管１１０と排水管１１１との接続部分に設置した逆止弁である。
【００１１】
そして、火災発生時以外のときには一次側配管１０１と二次側配管１０４のいずれにも水が充填されており、且つ二次側配管１０４内を、吸引管１０８及び吸気管１１０を介して真空ポンプ１０９で負圧状態とするものである。
【００１２】
また、火災発生時には、火災感知器１０７が火災を感知して火災信号を信号受信盤１１４に送信し、そして該信号受信盤１１４から該信号を制御盤１１５に送信する。該信号を受信した制御盤１１５は予作動式流水検知装置１０６を開状態とすると共に送水ポンプ１０３を作動させる。これによりスプリンクラーヘッド１０５から放水が連続して行われるものである。
【００１３】
従来における負圧湿式予作動スプリンクラー設備は上記の通りである。しかし、斯かる設備には二次側配管内の負圧の状態を適正に保持する構成において問題がある。それは、吸引管１０８の途中部に設置された流量制御弁１１２としてオリフィス付き自動弁を用いていることによるものである。
【００１４】
而して、斯かるオリフィス付き自動弁は電磁弁であり、そして、斯かる電磁弁は、無通電時には閉止し、通電時に開放するなど制御方法がシンプルであるというメリットがある一方、消費電流が大きく、且つ弁体の開放中は通電し続けなければならず、大きな電源が必要となる。そして、上記の如く、従来の設備に用いられていたオリフィス付き自動弁は、口径４０Ａの直動式電磁弁のものがあり、そして一例として、その定格はＤＣ２４ボルト、１，５８０ｍＡのものがあり、消費電流も大きく且つ弁体の開放に大きな電源が必要であった。
【００１５】
また、従来用いられていた電磁弁は、上記の通り消費電流も大きく且つ弁体の開放に大きな電源が必要であることから、停電時における問題もある。即ち、停電時において、二次側配管の破損等で二次側配管内の圧力が急上昇する事態が起き、弁を開放させる必要が生じることがあるが、その場合に備えて容量の大きい蓄電池を設けるか、非常電源設備による給電を行うなどの対策が必要であった。しかし、容量の大きい蓄電池を設ける場合には、蓄電池自体の大きさだけでなく、それを収納する制御盤の大きさも大きくなり、コストも増えることになる。また、非常電源設備による給電を行う場合には、予め非常電源設備の設計の際に電源容量を見込む必要があり、設備のリニューアルに対応できない等の問題があった。
【００１６】
そこで、本発明者らは、二次側配管内の圧力の適正保持用の流量制御弁として、電力消費の大きい従来のオリフィス付き自動弁に替えて電力不要の流量制御弁を用いることにより、上記従来の問題点を悉く解消することができるようになした負圧湿式予作動スプリンクラー設備を、先に案出した。
【００１７】
そしてまた、本発明者らが先に案出した斯かる負圧湿式予作動スプリンクラー設備は、図８に示す通りの構成であり、図９乃至図１１に示した流量制御弁の点を除いて、その他の構成は前記図１２に示した構成と同様であるから、同一の部材には同一の符号を付して再度の説明は省略する。
【００１８】
而して、図８に示す負圧湿式予作動スプリンクラー設備１００′において用いる流量制御弁１は、図９及び図１０の示す如き、二次側配管から吸引管に流入する空気と水が通過する本体部２と、該本体部２内で水の圧力により前進移動可能に設けられたピストン部９と、該ピストン部９を後退移動方向に付勢するコイルバネ１３とによって構成され、前記本体部２は、シリンダ部２Ａと、該シリンダ部２Ａの一端側に装着されるカバー部２Ｂとからなり、前記シリンダ部２Ａは、その一端部が閉塞された円筒状をなし、閉塞部分２Ａ′の中心部に、流出口３と、該流出口３の内側に連成された該流出口３より小径の開口４を設けてなり、前記カバー部２Ｂは、一端部が閉塞された円筒状をなし、閉塞部分２Ｂ′に、流入口７を設けてなり、前記ピストン部９は、一端部が閉塞９′された円筒状をなし、他端部に外径が前記シリンダ部２Ａの内径と等しいフランジ部１０を形成し、閉塞部分９′の中心部に前記シリンダ部２Ａにおける閉塞部分２Ａ′の開口４より小径の開口１１を設けると共に、円筒状部分に該開口１１より大径の開口１２を設けてなり、流入する水の圧力によって前記コイルバネ１３の付勢力に抗して最前進位置まで移動することによりその閉塞部分９′が前記シリンダ部２Ａの閉塞部分２Ａ′の内側面に密接するようになされた流量制御弁である。
【００１９】
尚、前記シリンダ部２Ａの他端側の外周面には雄ネジ５が刻設され、これに対応して内周面に雌ネジ６が刻設されたカバー部２Ｂを螺合装着するようになされている。
【００２０】
また、前記シリンダ部２Ａの他端側の端面と前記カバー部２Ｂの閉塞部分２Ｂ′との間にはＯリング８が介装され、シリンダ部２Ａとカバー部２Ｂとの間の水密性が保たれている。
【００２１】
また、前記コイルバネ１３は、前記シリンダ部２Ａ内において、ピストン部９を挿入させた状態でそのフランジ部１０に当接し、該ピストン部９をカバー部２Ｂの流入口７側に押圧付勢している。したがって、カバー部２Ｂの流入口７から水が流入し、その圧力が該コイルバネ１３の付勢力を超えている状態でピストン部９は前進移動が行われることになる。
【００２２】
そして、該コイルバネ１３の弾発力（バネ定数）は、火災発生時において二次側配管１０４内に一次側配管１０１から水が供給され、該水の一部が吸引管１０８内に流入したときの圧力によってのみ縮小する程度であることを要する。
【００２３】
また、上記流量制御弁１の作用は、次の通りである。
火災発生時以外のときにおける二次側配管の温度変化による体積膨張や流量制御管等からの微少な空気流入等による緩慢な圧力上昇があるときは、図９に示す如く、ピストン部９は後退位置にあり、カバー部２Ｂの流入口７から流入した空気と水は、ピストン部９の小径の開口１１と大径の開口１２を通って合流し、シリンダ部２Ａの開口４と流出口３から流出する。
【００２４】
また、スプリンクラーヘッド等が破損して二次側配管内の圧力が急速に上昇したときには、ピストン部９は図９と同じ後退位置にあって、真空ポンプ１０９が作動する。そして、この吸引によって漏水が防止される。尚、その際において真空ポンプ１０９の吸引力はコイルバネ１３の弾発力より低いためピストン部９は移動しない。
【００２５】
また、火災発生時において一次側配管１０１から二次側配管１０４に水が供給され、その水の一部が吸引管１０８内に流入すると、図１０に示す如く、その水の圧力によってコイルバネ１３の付勢力に抗してピストン部９が最前進位置まで移動し、その閉塞部分９′がシリンダ部２Ａの閉塞部分２Ａ′の内側面に密接する。また、このときにおいては真空ポンプ１０９は作動しない。そして、これにより水はピストン部９の小径の開口１１を通じて少量しか流れず、スプリンクラーヘッド１０５からの充分な放水が確保される。尚、ピストン部９の小径の開口１１から引き続き水が流出するが、該開口１１の径は小さいことから流出の影響は少ない。
【００２６】
そして、消火完了後、予作動式流水検知装置１０６が閉止すると、ピストン部９の小径の開口１１から水が流出することで二次側配管１０４内の圧力が減少し、ピストン部９はコイルバネ１３によって再び後退位置に戻される。
【００２７】
以上の如く、上記流量制御弁１は、電力を要することなく作動するものである。
【００２８】
また、上記流量制御弁１は、図９及び図１０に示した例においては、ピストン部９に大径の開口１２と小径の開口１１とを設けているが、図１１に示した例における如く、大径の開口１２のみとしてもよいものである。尚、図１１に示した例は、予作動式流水検知装置に連通する配水管に設置された排水弁等から排水することで二次側配管内の圧力を減少させることができる場合に用いるものである。
【００２９】
而して、図８乃至図１１に示した本発明者らが先に案出した負圧湿式予作動スプリンクラー設備１００′においては、二次側配管内の圧力の適正保持用の流量制御弁として、電力消費の大きい従来のオリフィス付き自動弁に替えて電力不要の流量制御弁１を用いるものであるから、従来の問題点を悉く解消することができるものである。また、非常電源設備からの給電を検討する必要もないものである。
【発明の概要】
【発明が解決しようとする課題】
【００３０】
本発明者らが先に案出した負圧湿式予作動スプリンクラー設備１００′は、上記の通りの優れた作用、効果を奏するものである。そしてまた、その作用、効果をより持続的に確実なものとすべく、本発明者らは更に鋭意研究を重ねた。
【００３１】
本発明者らが先に案出した負圧湿式予作動スプリンクラー設備１００′において用いる流量制御弁１は、上記の如き構成、作用であり、ピストン部９は、カバー部２Ｂの流入口７から流入する水の圧力によりコイルバネ１３の付勢力に抗して最前進位置まで移動するが、監視状態にある平常時においては該ピストン部９は、図９に示す如き後退位置にある。そして、ピストン部９が後退位置にあって、カバー部２Ｂの流入口７から空気と水が流入し、これらが該ピストン部の大径の開口１２と小径の開口１１を通って合流してシリンダ部２Ａの開口４と流出口３から流出する状態が長期間にわたって継続すると、ピストン部９の周囲やシリンダ部２Ａの内面において水に含まれるカルシウムや不純物が析出したり、ゴミが付着し、実際の火災発生時においてピストン部が正常に動作しない事態が起こる虞がある。
【００３２】
そこで、定期的に点検し、加圧水を流入させることなくピストン部の動作を確認することができるようにした構成を付加することにより、上記流量制御弁１の作用、効果をより持続的に確実なものとすることができることを見出し、本発明の完成をみるに至ったものである。
【課題を解決するための手段】
【００３３】
而して、本発明の要旨とするところは、
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、
前記二次側配管から前記吸気管に流入する空気と水が通過する本体部と、該本体部内で水の圧力により前進移動可能に設けられたピストン部と、該ピストン部を後退移動方向に付勢するコイルバネとによって構成され、前記本体部は、シリンダ部と、該シリンダ部の一端側に装着されるカバー部とからなる負圧湿式予作動スプリンクラー設備における流量制御弁において、
前記カバー部の閉塞部分の中心部の外側面に、前記シリンダ部内において前記コイルバネの付勢力に抗して前記ピストン部をその最前進位置まで押し出す点検棒を備えてなることを特徴とする負圧湿式予作動スプリンクラー設備における流量制御弁にある。
【００３４】
また、上記構成において、ピストン部に設ける大径の開口と小径の開口とを、大径の開口のみとしてもよい。
【００３５】
また、上記構成において、点検棒の先端部に、点検時においてピストン部の閉塞部分に設けた小径の開口内の汚れを除去するための突起を設けるようにしてもよい。
【００３６】
また、上記構成において、点検棒の先端面に、点検時において該点検棒がピストン部の閉塞部分に設けた小径の開口部への接触を防止するための凹部又は溝部を設けるようにしてもよい。
【００３７】
また、上記構成において、点検棒を操作開始位置に復帰させるバネを設けるようにしてもよい。
【００３８】
また、上記構成において、点検棒におけるカバー部から突出する後端部に、該点検棒の先端部の突起がピストン部の閉塞部分に設けた小径の開口内に挿入されたことと、ピストン部がシリンダ部内において最前進位置まで移動したこととを確認するための目印を設けるようにしてもよい。
【００３９】
また、上記構成において、カバー部の閉塞部分の中心部の外面側に、点検棒のカバー部から突出する後端部を覆う、該点検棒の誤操作防止用のキャップ状カバーを設けるようにしてもよい。
【００４０】
また、上記構成において、カバー部の閉塞部分の中心部の外面側に、点検棒を、その後端側を摺動自在に貫挿した、摘みを有する所要の外径の柱状体と、該柱状体を抜脱自在に嵌め込む柱状体受容孔とをもって構成する保守用分解部を設けるようにしてもよい。
【発明の効果】
【００４１】
本発明は上記の如き構成であり、用いる流量制御弁として、本発明者らが先に案出した負圧湿式予作動スプリンクラー設備において用いる流量制御弁に、ピストン部を押し出す点検棒を備えることにより、定期的に点検し、加圧水を流入させることなくピストン部の動作を確認することができるようにした構成を付加したものであるから、流量制御弁の作用効果をより持続的に確実なものとすることができるものである。そして、延いてはこれを用いた負圧湿式予作動スプリンクラー設備の保守、管理の面においても有益な効果をもたらすことができるものである。
【００４２】
また、点検棒の先端部に、点検時においてピストン部の閉塞部分に設けた小径の開口内の汚れを除去するための突起を設けてなる場合には、点検の都度ピストン部の閉塞部分に設けた小径の開口内の汚れを押し出して除去することができるものである。
【００４３】
また、点検棒の先端面に、点検時において該点検棒がピストン部の閉塞部分に設けた小径の開口に接触することによる該小径の開口への汚れの付着を防止するための凹部又は溝部を設けてなる場合には、点検時において点検棒がピストン部の閉塞部分に設けた小径の開口に接触することによる該小径の開口への汚れの付着を防止することができるものである。
【００４４】
また、点検棒を操作開始位置に復帰させるバネを設けてなる場合には、点検時における点検棒の元の位置への戻し忘れを防止することができるものである。
【００４５】
また、点検棒におけるカバー部から突出する後端部に、該点検棒の先端部の突起がピストン部の閉塞部分に設けた小径の開口内に挿入されたことと、ピストン部がシリンダ部内において最前進位置まで移動したこととを確認するための目印を設けてなる場合には、流量制御弁の外部において点検棒の押し出し位置を目視により確認することができ、点検棒による確実な操作を確保することができるものである。
【００４６】
また、カバー部の閉塞部分の中心部の外面側に、点検棒のカバー部から突出する後端部を覆う、該点検棒の誤操作防止用のキャップ状カバーを設けてなる場合には、非点検時において点検棒を誤操作することを防止することができるものである。
【００４７】
また、カバー部の閉塞部分の中心部の外面側に、点検棒を、その後端側を摺動自在に貫挿した、摘みを有する所要の外径の柱状体と、該柱状体を抜脱自在に嵌め込む柱状体受容孔とをもって構成する保守用分解部を設けてなる場合には、点検時において点検棒を取り外して内部を目視で点検することができるものである。
【図面の簡単な説明】
【００４８】
【図１】本発明の実施形態に係る負圧湿式予作動スプリンクラー設備の概略構成図である。
【図２】本発明の実施形態に係る負圧湿式予作動スプリンクラー設備における流量制御弁の断面図であり、火災発生時の状態を示すものである。
【図３】本発明の実施形態に係る負圧湿式予作動スプリンクラー設備における流量制御弁の断面図であり、点検時における点検棒を途中位置まで押し込んだ状態を示すものである。
【図４】本発明の実施形態に係る負圧湿式予作動スプリンクラー設備における流量制御弁の断面図であり、点検時における点検棒をピストン部が最前進位置に移動するまで押し込んだ状態を示すものである。
【図５】本発明の実施形態に係る負圧湿式予作動スプリンクラー設備における流量制御弁の変形例の断面図であり、平常時の状態を示すものである。
【図６】本発明の実施形態に係る負圧湿式予作動スプリンクラー設備における流量制御弁の変形例の断面図であり、点検時における点検棒をピストン部が最前進位置に移動するまで押し込んだ状態を示すものである。
【図７】本発明の実施形態に係る負圧湿式予作動スプリンクラー設備における流量制御弁の他の変形例の断面図であり、平常時の状態を示すものである。
【図８】本発明者らが先に案出した負圧湿式予作動スプリンクラー設備の概略構成図である。
【図９】本発明者らが先に案出した負圧湿式予作動スプリンクラー設備における流量制御弁の断面図であり、平常時の状態を示すものである。
【図１０】本発明者らが先に案出した負圧湿式予作動スプリンクラー設備における流量制御弁の断面図であり、火災発生時の状態を示すものである。
【図１１】本発明者らが先に案出した負圧湿式予作動スプリンクラー設備における流量制御弁の変形例の断面図であり、平常時の状態を示すものである。
【図１２】従来の負圧湿式予作動スプリンクラー設備の概略構成図である。
【発明を実施するための形態】
【００４９】
以下、本発明を実施するための形態について、図面を参照して説明する。
【００５０】
図１は本発明の実施形態に係る負圧湿式予作動スプリンクラー設備１００″の概略構成図である。尚、吸引管の途中部に設置された、二次側配管内の圧力の状態を適正に保持する流量制御弁の点のみが異なり、その他の構成は図８に示した本発明者らが先に案出した負圧湿式予作動スプリンクラー設備１００′と同様であるから、同一の部材には同一の符号を付して詳細な説明は省略する。
【００５１】
而して、本実施形態に係る負圧湿式予作動スプリンクラー設備１００″は、吸引管１０８の途中部に設置された、二次側配管１０４内の圧力の適正保持用の流量制御弁として、電力不要とした本発明者らが先に案出した負圧湿式予作動スプリンクラー設備１００′における流量制御弁１に、ピストン部を押し出す点検棒を備えることにより、定期的に点検し、加圧水を流入させることなくピストン部の動作を確認することができるようになした構成を付加してなる流量制御弁１′を用いることにおいて本発明者らが案出した負圧湿式予作動スプリンクラー設備１００′と相違するものである。
【００５２】
また、該流量制御弁１′は、本発明者らが先に案出した負圧湿式予作動スプリンクラー設備１００′で用いる流量制御弁１におけるカバー部２Ｂの閉塞部分２Ｂ′に設けた流入口７を、一端側７Ａが閉塞部分２Ｂ′の側面側に開口し、他端側７Ｂが閉塞部分２Ｂ′の中心部の内側面に開口するようになすと共に、カバー部２Ｂの閉塞部分２Ｂ′の中心部の外側面に、シリンダ部２Ａ内においてコイルバネ１３の付勢力に抗してピストン部９をその最前進位置まで押し出す点検棒１４を備えてなるものである。
【００５３】
また、該点検棒１４は、本実施形態においては後記保守用分解部の柱状体に後端部を摺動自在に貫挿し、軸方向の中央部はカバー部２Ｂの閉塞部分２Ｂ′における流入口７Ｂ内に設けた支承体１５によって摺動自在に支承されている。
【００５４】
また、本実施形態においては、該点検棒１４の先端部に、点検時においてピストン部９の閉塞部分９′に設けた小径の開口１１内の汚れを除去するための突起１４Ａを設けている。
【００５５】
また、上記点検棒１４は、図５及び図６に示す如く、その先端面に、点検時において該点検棒１４がピストン部９の閉塞部分９′に設けた小径の開口１１に接触することによる該小径の開口１１への汚れの付着を防止するための凹部又は溝部１４Ｂを設けるようにしてもよい。
【００５６】
また、本実施形態においては、該点検棒１４を操作開始位置に復帰させるバネ１６を設けている。尚、該バネ１６は、点検棒１４の後端部に設けたバネ受け体１７とカバー部２Ｂの閉塞部分２Ｂ′との間に縮設したコイルバネであり、本実施形態においてはバネ受け体１７と後記保守用分解部の柱状体との間に設けている。
【００５７】
また、本実施形態においては、該点検棒１４におけるカバー部２Ｂから突出する後端部に、該点検棒１４の先端部の突起１４Ａがピストン部９の閉塞部分９′に設けた小径の開口１１内に挿入されたことと、ピストン部９がシリンダ部２Ａ内において最前進位置まで移動したことを確認するための目印１８、１９を設けている。
【００５８】
また、本実施形態においては、カバー部２Ｂの閉塞部分２Ｂ′の中心部の外面側に、該点検棒１４のカバー部２Ｂから突出する後端部を覆う、該点検棒１４の誤操作防止用のキャップ状カバー２０を設けている。
【００５９】
また、本実施形態においては、カバー部２Ｂの閉塞部分２Ｂ′の中心部の外面側に、該点検棒１４を、その後端側を摺動自在に貫挿した、摘み２１Ａを有する所要の外径の柱状体２１と、該柱状体２１を抜脱自在に嵌め込む柱状体受容孔２２とをもって構成する保守用分解部２３を設けている。
【００６０】
次に、図７に示した上記実施形態における流量制御弁１′の変形例について説明する。
該変形例は、前記実施形態において、ピストン部９に大径の開口１２と小径の開口１１とを設けているのに対して、大径の開口１２のみとしている点において相違している。尚、その他の構成においては前記実施形態と同様であるから、同一の部材には同一の符号を付して詳細な説明は省略する。
【００６１】
次に、上記実施形態の作用について説明する。
流量制御弁１′を定期的に点検するときには、先ず、キャップ状カバー２０を取り外し、そして図３に示す如く、点検棒１４を、その後端側から目印１８が保守用分解部２３における柱状体２１の摘み２１Ａの外面に一致する位置まで押し込むものである。これにより点検棒１４の突起１４Ａがピストン部９の閉塞部分９′に設けた小径の開口１１内に挿入され、その内部の汚れを除去すると共に、目印１８をもってこれが確実に行われたことを確認することができるものである。
【００６２】
そして、更に点検棒１４を、図４に示す如く、その目印１９が保守用分解部２３における柱状体２１の摘み２１Ａの外面に一致する位置まで押し込むものである。これにより、ピストン部９は加圧水を用いることなく、コイルバネ１３の付勢力に抗して最前進位置まで移動させられることになる。そしてまた、これは目印１９をもって確認することができるものである。そして、これによりピストン部９の正常な動作を確認することができると共に正常な動作を確保することができるものである。
【００６３】
そして、以上の操作が終了したら点検棒１４の加圧を解くが、このときバネ１６の作用により該点検棒１４は操作開始位置まで自動的に復帰せしめられ、もって点検棒１４の元の位置へ戻し忘れを防止することができるものである。
【００６４】
また、点検棒１４のカバー部２Ｂから突出する後端部はキャップ状カバー２０によって覆われているから、非点検時において点検棒１４を誤操作することを防止することができるものである。
【００６５】
また、カバー部２Ｂの閉塞部分２Ｂ′の中心部の外面側に保守用分解部２３を設けているから、点検時において点検棒１４を取り外して内部を目視で点検することができるものである。
【００６６】
本発明は以上の通りであり、用いる流量制御弁１′として本発明者らが先に案出した流量制御弁１に、ピストン部９を押し出す点検棒１４を備えることにより、定期的に点検し、加圧水を流入させることなくピストン部９の動作を確認することができるようにした構成を付加したものであるから、流量制御弁１′の作用効果を、より持続的に確実なものとすることができるものである。そして、延いてはこれを用いた負圧湿式予作動スプリンクラー設備１００″の保守、管理の面においても有益な効果をもたらすことができるものである。
【符号の説明】
【００６７】
１、１′  流量制御弁
２  本体部
２Ａ  シリンダ部
２Ａ′  閉塞部分
２Ｂ  カバー部
２Ｂ′  閉塞部分
３  流出口
４  開口
７  流入口
７Ａ  流入口の一端側
７Ｂ  流入口の他端側
９  ピストン部
９′  閉塞部分
１０  フランジ部
１１  小径の開口
１２  大径の開口
１３  コイルバネ
１４  点検棒
１４Ａ  突起
１４Ｂ  凹部又は溝部
１６  バネ
１８、１９  目印
２０  キャップ状カバー
２１  柱状体
２２  柱状体受容孔
２３  保守用分解部
１００″  負圧湿式予作動スプリンクラー設備
１００′  本発明者らが先に案出した負圧湿式予作動スプリンクラー設備
１００  従来の負圧湿式予作動スプリンクラー設備
１０１  一次側配管
１０２  消火水槽
１０３  送水ポンプ
１０４  二次側配管
１０５  スプリンクラーヘッド
１０６  予作動式流水検知装置
１０７  火災感知器
１０８  吸引管
１０９  真空ポンプ
１１０  吸気管
１１１  排水管
１１３  真空スイッチ
１１４  信号受信盤
１１５  制御盤
【図１】
2019187996.tif 000003
【図２】
2019187996.tif 000004
【図３】
2019187996.tif 000005
【図４】
2019187996.tif 000006
【図５】
2019187996.tif 000007
【図６】
2019187996.tif 000008
【図７】
2019187996.tif 000009
【図８】
2019187996.tif 000010
【図９】
2019187996.tif 000011
【図１０】
2019187996.tif 000012
【図１１】
2019187996.tif 000013
【図１２】
2019187996.tif 000014
【手続補正書】
【提出日】令和1年6月4日(2019.6.4)
【手続補正１】
【補正対象書類名】明細書
【補正対象項目名】００３３
【補正方法】変更
【補正の内容】
【００３３】
而して、本発明の要旨とするところは、
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、
前記二次側配管から前記吸気管に流入する空気と水が通過する本体部と、該本体部内で水の圧力により前進移動可能に設けられたピストン部と、該ピストン部を後退移動方向に付勢するコイルバネとによって構成され、前記本体部は、シリンダ部と、該シリンダ部の一端側に装着されるカバー部とからなる負圧湿式予作動スプリンクラー設備における流量制御弁において、
前記カバー部の閉塞部分の中心部の外側面に、前記シリンダ部内において前記コイルバネの付勢力に抗して前記ピストン部をその最前進位置まで押し出す点検棒を備えてなることを特徴とする負圧湿式予作動スプリンクラー設備における流量制御弁にある。また、前記シリンダ部は、その一端部が閉塞された円筒状をなし閉塞部分の中心部に、流出口と、該流出口の内側に連成された該流出口より小径の開口を設けてなり、前記カバー部は、一端部が閉塞された円筒状をなし、閉塞部分に、流入口を設けてなり、前記ピストン部は、一端部が閉塞された円筒状をなし、他端部に外径が前記シリンダ部の内径と等しいフランジ部を形成し、閉塞部分の中心部に前記シリンダ部における閉塞部分の開口より小径の開口を設けると共に、円筒状部分に該小径の開口より大径の開口を設けてなるものである。
【手続補正２】
【補正対象書類名】特許請求の範囲
【補正対象項目名】全文
【補正方法】変更
【補正の内容】
【特許請求の範囲】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、
前記二次側配管から前記吸気管に流入する空気と水が通過する本体部と、該本体部内で水の圧力により前進移動可能に設けられたピストン部と、該ピストン部を後退移動方向に付勢するコイルバネとによって構成され、前記本体部は、シリンダ部と、該シリンダ部の一端側に装着されるカバー部とからなる負圧湿式予作動スプリンクラー設備における流量制御弁において、
前記カバー部の閉塞部分の中心部の外側面に、前記シリンダ部内において前記コイルバネの付勢力に抗して前記ピストン部をその最前進位置まで押し出す点検棒を備えてなることを特徴とする負圧湿式予作動スプリンクラー設備における流量制御弁。
【請求項２】
前記シリンダ部は、その一端部が閉塞された円筒状をなし閉塞部分の中心部に、流出口と、該流出口の内側に連成された該流出口より小径の開口を設けてなり、前記カバー部は、一端部が閉塞された円筒状をなし、閉塞部分に、流入口を設けてなり、前記ピストン部は、一端部が閉塞された円筒状をなし、他端部に外径が前記シリンダ部の内径と等しいフランジ部を形成し、閉塞部分の中心部に前記シリンダ部における閉塞部分の開口より小径の開口を設けると共に、円筒状部分に該小径の開口より大径の開口を設けてなる請求項１記載の負圧湿式予作動スプリンクラー設備における流量制御弁。
【請求項３】
ピストン部に設ける大径の開口と小径の開口とを、大径の開口のみとしてなる請求項２記載の負圧湿式予作動スプリンクラー設備における流量制御弁。
【請求項４】
点検棒の先端部に、点検時においてピストン部の閉塞部分に設けた小径の開口内の汚れを除去するための突起を設けてなる請求項２記載の負圧湿式予作動スプリンクラー設備における流量制御弁。
【請求項５】
点検棒の先端面に、点検時において該点検棒がピストン部の閉塞部分に設けた小径の開口部への接触を防止するための凹部又は溝部を設けてなる請求項２記載の負圧湿式予作動スプリンクラー設備における流量制御弁。
【請求項６】
点検棒を操作開始位置に復帰させるバネを設けてなる請求項１から５のいずれか１項に記載の負圧湿式予作動スプリンクラー設備における流量制御弁。
【請求項７】
点検棒におけるカバー部から突出する後端部に、該点検棒の先端部の突起がピストン部の閉塞部分に設けた小径の開口内に挿入されたことと、ピストン部がシリンダ部内において最前進位置まで移動したこととを確認するための目印を設けてなる請求項１から６のいずれか１項に記載の負圧湿式予作動スプリンクラー設備における流量制御弁。
【請求項８】
カバー部の閉塞部分の中心部の外面側に、点検棒のカバー部から突出する後端部を覆う、該点検棒の誤操作防止用のキャップ状カバーを設けてなる請求項１から７のいずれか１項に記載の負圧湿式予作動スプリンクラー設備における流量制御弁。
【請求項９】
カバー部の閉塞部分の中心部の外面側に、点検棒を、その後端側を摺動自在に貫挿した、摘みを有する所要の外径の柱状体と、該柱状体を抜脱自在に嵌め込む柱状体受容孔とをもって構成する保守用分解部を設けてなる請求項１から８のいずれか１項に記載の負圧湿式予作動スプリンクラー設備における流量制御弁。